(57)【要約】      （修正有）【課題】Ｘ線血管造影検査を行うとき、術者にとって体力的に楽に座って検査を行うことができる検診台を提供する。【解決手段】検査時に術者４は、保持棒７、腕８、９および収納筒６等により検診台１に支持された腰掛棒５に座って検査を行う。腰掛棒５を使用しないときは収納筒６に収納し、収納筒６を保持棒７に平行にした後、保持棒７とともに検診台１の側面の収納位置に移動させる。【選択図】図１
0003135953.tif 000002
【実用新案登録請求の範囲】
【請求項１】
検査中に術者が座る腰掛が、使用時には使用位置に配置支持され、非使用時には収納位置に収納されるよう構成された腰掛機構を有することを特徴とするＸ線透視撮影用検診台。
【請求項２】
腰掛機構は、Ｘ線透視撮影用検診台の側面に揺動可能に支持されるとともに、術者が座る腰掛棒を引き出し可能に収納する筒を回転可能に保持する保持棒と、一端が前記保持棒に回転可能に保持され、他端が前記Ｘ線透視撮影用検診台の側面に回転可能に保持されて、その中間部位で屈伸することによって前記保持棒の回転範囲を制限する屈伸腕にて構成されることを特徴とする請求項１記載のＸ線透視撮影用検診台。
【請求項３】
腰掛機構は、一端がＸ線透視撮影用検診台の側面に揺動可能に支持されるとともに、他端に術者が座る腰掛棒を取り付けた第一の腕と、一端が前記Ｘ線透視撮影用検診台の側面に回転可能に支持された第二の腕と、両端をそれぞれ前記第一の腕と前記第二の腕の他端により回転可能に保持される連結棹と、前記連結棹の回転を許可または禁止する連結棹回転禁止手段にて構成されることを特徴とする請求項１記載のＸ線透視撮影用検診台。
【請求項４】
腰掛棒を筒により構成し、前記腰掛棒の側面に設けた孔を通過して引き出し可能な第二の腰掛棒を内蔵することを特徴とする請求項２および３記載のＸ線透視撮影用検診台。
【考案の詳細な説明】
【技術分野】
【０００１】
本考案はＸ線透視撮影に用いられる検診台に関する。
【背景技術】
【０００２】
外科手術等では、例えば特許文献１に記載されているように、手術中術者が座るための手術用の椅子が用意されることがあるが、Ｘ線血管造影検査については図８に示すように検査を受ける被検者３は検診台１の天板２上に載置され、検査室内に多くの機材（図示しない）を配置しなければならない等の事情から、術者４は通常立位の状態で検査を行う。
【特許文献１】特開２００６−３４７１５号公報
【考案の開示】
【考案が解決しようとする課題】
【０００３】
Ｘ線血管造影検査を行うとき術者は被爆防止のためＸ線防護服を着用するが、特に血管内治療を行う場合等には長時間を要することが多く、重いＸ線防護服を着用して長時間立ったままで検査や治療を行うことは、術者にとって体力的に大きな負担になっている。しかしながら術者が座るための椅子を持ち込むことは、通常検査室内に多くの機材が配置されているためにスペース的に困難な場合が多い。本考案はこの問題を解決するためのものである。
【課題を解決するための手段】
【０００４】
請求項１記載の考案は上記の目的を達成するために、検査中に術者が座る腰掛が、使用時には使用位置に配置支持され、非使用時には収納位置に収納されるよう構成された腰掛機構を有するＸ線透視撮影用検診台を提供する。
【０００５】
請求項２記載の考案は上記の目的を達成するために、腰掛機構は、Ｘ線透視撮影用検診台の側面に揺動可能に支持されるとともに、術者が座る腰掛棒を引き出し可能に収納する筒を回転可能に保持する保持棒と、一端が前記保持棒に回転可能に保持され、他端が前記Ｘ線透視撮影用検診台の側面に回転可能に保持されて、その中間部位で屈伸することによって前記保持棒の回転範囲を制限する屈伸腕にて構成される請求項１記載のＸ線透視撮影用検診台を提供する。
【０００６】
請求項３記載の考案は上記の目的を達成するために、腰掛機構は、一端がＸ線透視撮影用検診台の側面に揺動可能に支持されるとともに、他端に術者が座る腰掛棒を取り付けた第一の腕と、一端が前記Ｘ線透視撮影用検診台の側面に回転可能に支持された第二の腕と、両端をそれぞれ前記第一の腕と前記第二の腕の他端により回転可能に保持される連結棹と、前記連結棹の回転を許可または禁止する連結棹回転禁止手段にて構成される請求項１記載のＸ線透視撮影用検診台を提供する。
【０００７】
請求項４記載の考案は上記の目的を達成するために、腰掛棒を筒により構成し、前記腰掛棒の側面に設けた孔を通過して引き出し可能な第二の腰掛棒を内蔵する請求項３記載のＸ線透視撮影用検診台を提供する。
【考案の効果】
【０００８】
本考案により、術者はＸ線血管造影検査中必要な場合、検診台に収納されている腰掛を引き出してその上に座って作業を続けることができるので、重いＸ線防護服を着用して行う作業が長引いた場合でも、体力的な負担が大幅に軽減される。また腰掛は検診台により支持され、かつ検診台に収納されるのでスペース的な問題も解消される。
【考案を実施するための最良の形態】
【０００９】
本考案の実施例について図１〜図３により説明する。ここで図１は検診台１に支持された腰掛棒５に座って術者４がＸ線血管造影検査を行っている様子を示す図であり、図１（ａ）はその正面図、図１（ｂ）は側面図である。これらの図において被検者３は検診台１の天板２上に載置され、術者４は保持棒７、腕８、９および収納筒６等により検診台１に支持された腰掛棒５に座って検査を進めることができる。
【００１０】
図２は腰掛棒５を使用しないとき、上部に天板２を有する検診台１の足側の側面に腰掛棒５を収納した状態を示す図であり、図３は腰掛棒５を収納状態から使用状態に変化させる様子を説明するための図である。これらの図において、腰掛棒５を収納する収納筒６を回転可能に保持する回転保持部７Ａを有する保持棒７は、支軸１３を中心に検診台１の側面に平行に回転可能な状態で検診台１の側面に保持されている。
【００１１】
そしてその回転範囲は、一端が支軸１０により検診台１の側面に回転可能に保持された腕８と、同じく一端が支軸１２により保持棒７の中央部に回転可能に保持された腕９の、それぞれの他端が支軸１１により回転可能に連結されることにより、図２および図３（ａ）に示すように腕８、９がほぼ重なる状態から、図３（ｂ）〜（ｄ）に示すように腕８、９が一直線になる状態までに制限されている。
【００１２】
術者４（これらの図には示さない）は腰掛棒５を使用する場合、収納状態にある図３（ａ）の保持棒７を掴んで、支軸１３を中心に図３（ｂ）の矢印Ａの方向に回転させ、腕８、９が一直線になる状態まで引き出す。次にこの状態で図３（ｃ）に示すように収納筒６を回転保持部７Ａを中心に矢印Ｂの方向に、保持棒７に取り付けられたストッパー１５に当たるまで回転させる。その状態で図３（ｄ）に示すように、収納筒６に引き出し可能に収納され保持されている腰掛棒５に取り付けられた取手１６を引いて腰掛棒５を矢印Ｃの方向に引き出した後、その上に腰をおろす。これにより術者４は検診台１に支持された腰掛棒５に座ることができる。
【００１３】
次に本考案の第二の実施例について図４〜図７により説明する。ここで図４、図６はいずれも上部に天板２を有する検診台１を足側から見た図であり、図４は検診台１の正面下部に腰掛棒２２を下ろした収納状態を示しており、図６は腰掛棒２２を引き上げてその高さに固定した使用状態を示している。また図５は腰掛棒２２を検診台１に収納可能に保持する保持機構を説明するための図である。これらの図において腕１７および腕１９の一端は、それぞれ支軸１８および支軸２０により回転可能に検診台１の側面に支持されている。なお２３は連結棹であり、２４はネジを示している。
【００１４】
そして図５に示すように腕１７の他端は支軸２１により連結棹２３の一端に回転可能に保持されており、一方腕１９の他端については腰掛棒２２が腕１９に設けられた孔（図示しない）を突き抜けた状態で溶接等により固定されている。腰掛棒２２はさらに連結棹２３の他端に設けられた孔（図示しない）も突き抜けて、連結棹２３を回転可能に保持している。そして連結棹２３の厚さに対応する外周面には、腰掛棒２２の一端を軸として通すために連結棹２３に設けられた前記の孔まで貫通する雌ネジ２３Ａが切られ、ネジ２４が螺合されている。
【００１５】
そしてネジ２４は通常その先端が、連結棹２３の回転軸になっている腰掛棒２２の表面に接しない程度に雌ネジ２３Ａに螺合されているので、術者４（これらの図には示さない）は腰掛棒２２を腕１７、腕１９および連結棹２３の回転運動を伴いながら移動させることができる。そして例えば図６に示す位置でネジ２４をその先端が腰掛棒２２の表面に強く接するまでねじこむと、連結棹２３の腰掛棒２２を軸とする回転運動が禁止されるので、腰掛棒２２はその位置で腕１７および腕１９により検診台１の側面に保持され、術者は腰掛棒２２に座ることができる。
【００１６】
さらに図５に示す腰掛棒２２の代わりに、図７に示すように筒状の腰掛棒２６を用い、通常はその中に収納されている腰掛棒２５を腰掛棒２６の側面に設けられた孔２７から引き出して、補助の術者（図示しない）が座れるようにすることもできる。なお、１９は腕であり、２３は連結棹である。
【産業上の利用可能性】
【００１７】
本考案はＸ線透視撮影に用いられる検診台に関する。
【図面の簡単な説明】
【００１８】
【図１】本考案による検診台を用いてＸ線血管造影検査を行っている様子を示す図である。
【図２】本考案による検診台の側面図である。
【図３】本考案による検診台で腰掛棒を収納状態から使用状態に変える手順を示す図である。
【図４】本考案の別の実施例で腰掛棒の収納状態を示す図である。
【図５】本考案の別の実施例で腰掛棒の保持機構を説明するための図である。
【図６】本考案の別の実施例で腰掛棒の使用状態を示す図である。
【図７】本考案の別の実施例で補助の術者用の腰掛棒の説明するための図である。
【図８】従来の検診台を用いてＸ線血管造影検査を行っている様子を示す図である。
【符号の説明】
【００１９】
１：検診台
２：天板
３：被検者
４：術者
５：腰掛棒
６：収納筒
７：保持棒
７Ａ：回転保持部
８：腕
９：腕
１０：支軸
１１：支軸
１２：支軸
１３：支軸
１５：ストッパー
１６：取手
１７：腕
１８：支軸
１９：腕
２０：支軸
２１：支軸
２２：腰掛棒
２３：連結棹
２３Ａ：雌ネジ
２４：ネジ
２５：腰掛棒
２６：腰掛棒
２７：孔
【図１】
0003135953.tif 000003
【図２】
0003135953.tif 000004
【図３】
0003135953.tif 000005
【図４】
0003135953.tif 000006
【図５】
0003135953.tif 000007
【図６】
0003135953.tif 000008
【図７】
0003135953.tif 000009
【図８】
0003135953.tif 000010